(57)【要約】  本発明は、ヒト（２）を刺激するための装置（１）及び方法に関する。装置（１）は、前記ヒト（２）に印加される刺激信号を発生させる、少なくとも１つの刺激信号発生部（３）と、前記刺激信号に反応して前記ヒト（２）から送られてきた生理学的信号を検出するための、少なくとも１つの検出部（７）と、検出された前記生理学的信号によって前記ヒト（２）の重篤状態を認識すると、安全スイッチを制御して、前記ヒト（２）への前記刺激信号の印加を自動的に停止させる、監視部（６）とを備えている。
2013529983.tif 000002
【特許請求の範囲】
【請求項１】
ヒト（２）を刺激するための装置（１）であって、
（ａ）前記ヒト（２）に印加される刺激信号を発生させる、少なくとも１つの刺激信号発生部（３）と、
（ｂ）前記刺激信号に反応して前記ヒト（２）から送られてきた少なくとも１つの生理学的信号を検出するための、少なくとも１つの検出部（７）と、
（ｃ）検出された前記生理学的信号によって前記ヒト（２）の重篤状態を認識すると、安全スイッチ（５）を制御して、前記ヒト（２）への前記刺激信号の印加を自動的に停止させる、監視部（６）と、
を備えていることを特徴とするヒトを刺激するための装置。
【請求項２】
前記刺激信号発生部（３）が、電気刺激信号を発生させ、それを、安全スイッチ（５）を介して、ヒト（２）の皮膚に取り付け可能な１又は複数の電極（１５）に提供する、請求項１に記載の装置。
【請求項３】
前記刺激信号発生部（３）が、視覚刺激信号を発生させ、それを、ビデオモニタまたは電気的な視覚刺激装置によって、ヒト（２）に印加する、請求項１に記載の装置。
【請求項４】
前記監視部（６）が、前記ヒト（２）の重篤状態を認識すると、検出された前記ヒト（２）の前記生理学的信号を直ぐに処理し、直ちに安全スイッチ（５）を起動させる、請求項１〜３のいずれかに記載の装置。
【請求項５】
前記監視部（６）が、検出された前記ヒト（２）の生理学的信号を、時間領域及び周波数領域のいずれか一方または両方において評価する、請求項１〜４のいずれかに記載の装置。
【請求項６】
前記監視部（６）が、選択可能な周波数帯において、スライディング時間窓毎に、検出された前記生理学的信号の出力密度を測定する、請求項５に記載の装置。
【請求項７】
前記安全スイッチ（５）が、測定された前記出力密度が調整可能な閾値を超えている場合に、監視部（６）によって起動される、請求項６に記載の装置。
【請求項８】
前記監視部（６）が、検出されたヒト（２）の前記生理学的信号についての、パターンに基づく評価および統計的な評価のうち、いずれか一方または両方を行なう、請求項１〜４のいずれかに記載の装置。
【請求項９】
前記検出部（７）が、バイオフィードバック信号検出部を備えている、請求項１〜８のいずれかに記載の装置。
【請求項１０】
前記バイオフィードバック信号検出部（７）が、ＥＥＧ信号検出部である、請求項９に記載の装置。
【請求項１１】
前記バイオフィードバック信号検出部（７）が、ヒトの、血圧、表皮抵抗、又は心電信号の検出に適用される、請求項９に記載の装置。
【請求項１２】
前記監視部（６）が、少なくとも１つの変更可能な基準が満たされている場合に、前記ヒト（２）の重篤状態を認識する、請求項１〜１１のいずれかに記載の装置。
【請求項１３】
前記監視部（６）は、少なくとも１つの選択可能な周波数帯で、検出された前記生理学的信号の処理を行なう、請求項１〜１２のいずれかに記載の装置。
【請求項１４】
前記周波数帯が、２０〜４０Ｈｚの範囲の周波数を持ったベータ周波数帯である、請求項１３に記載の装置。
【請求項１５】
ヒトに安全に刺激を与えるための方法であって、前記ヒト（２）への刺激信号の印加は、前記ヒト（２）の検出された前記生理学的信号に反応して前記ヒト（２）の重篤状態が認識されると、自動的に停止される、ことを特徴とする方法。
【発明の詳細な説明】
【技術分野】
【０００１】
本発明は、特にてんかん発作などの重篤状態を避けるための安全メカニズムを有したヒトを刺激するための装置及び方法に関する。
【背景技術】
【０００２】
ヒトの脳は、軸索と樹状突起とによって互いに通信し合う数十億の神経細胞を備え、更に、これら神経細胞は活動電位と呼ばれる連続した信号パルスを運ぶ。脳は、頭蓋骨によって守られ、脳脊髄液によって囲まれ、そして、血液脳関門によって血流から分離されているにも拘わらず、そのデリケートな性質のため、多数の細胞を失わせるような、多くの疾患及びいろいろな脳障害などの損傷を受けやすくなっている。また、このような脳細胞の脱落は、他の神経変性障害によっても起る可能性がある。脳障害は、認知障害及びその他の機能的変化を引き起こしてしまう。更に、脳障害または脳疾患によって引き起こされる可能性のある障害は、運動障害、記憶障害、または他の機能性神経障害である。更に、視覚、聴覚といった感覚器官のいずれも、このような脳疾患または網膜疾患（視覚の場合）の影響を受ける。
【０００３】
ヒトの脳を治療するため、特に脳疾患のあるヒトにおいて、刺激信号によって脳を刺激する治療機器が提案されている。例えば、ヒトの脳に電気刺激信号によって刺激を行なうと、眼内閃光、即ち、稲妻の閃光に類似する視覚的な感覚が生じる。しかし、従来からの装置では、特に、脳が既に損傷を受けている場合に、刺激の過程で、健常者または患者への脳刺激がてんかん発作を引き起こすという危険性がある。実際、閃光や過呼吸が、てんかん発作の誘因となる場合もある。ヒトにおいては、どのようなてんかん発作であっても、深刻な障害につながってしまう。更に、治療を受ける際にかかるストレスによって、ヒトが重篤状態に陥る可能性もある。
【発明の概要】
【発明が解決しようとする課題】
【０００４】
このように、電気的な刺激を脳に送った場合、ある種のリスクが存在するので、結果、こういったリスクを自動的に監視するための方法及び手段を見つけることが求められている。
【０００５】
それゆえ、本発明の目的は、健常者または患者において、刺激を原因または誘因とする上述したリスクを抑制または回避し得る、ヒトに刺激を与えるための装置及び方法を提供することにある。
【課題を解決するための手段】
【０００６】
上記の目的は、請求項１の特徴を備えた装置によって達成される。
本発明は、ヒトに刺激を与えるための装置を提供する。
当該装置は、前記ヒトに印加される刺激信号を発生させる、少なくとも１つの刺激信号発生部と、前記刺激信号に反応して前記ヒトから送られてきた生理学的信号を検出するための、少なくとも１つの検出部と、検出された前記生理学的信号によって前記ヒトの重篤状態を認識すると、安全スイッチを制御して、前記ヒトへの前記刺激信号の印加を自動的に停止させる、監視部と、を備えている。
【０００７】
本発明における装置の他の一実施形態においては、刺激信号発生部は、電気刺激信号を発生させ、それを、安全スイッチを介して、皮膚、好ましくはヒトの頭に取り付け可能な１又は複数の電極に印加する。
【０００８】
本発明における装置の一実施形態においては、刺激信号発生部は、視覚刺激信号を発生させ、それを、ビデオモニタまたは電気的な視覚刺激装置によって、ヒトに印加する。
【０００９】
更なる一実施形態では、刺激信号発生部は、電気刺激信号と視覚刺激信号との両方を発生させる。
【００１０】
本発明における装置の更なる一実施形態においては、監視部は、ヒトの重篤状態を認識すると、検出されたヒトの生理学的信号を直ぐに処理し、直ちに安全スイッチを起動させる。
【００１１】
本発明における装置の一実施形態においては、監視部は、検出された生理学的信号を、時間領域及び周波数領域のいずれか一方または両方において評価する。
【００１２】
本発明における装置の更なる一実施形態においては、監視部は、選択可能な周波数帯において、スライディング時間窓毎に、検出された生理学的信号の出力密度を測定する。
【００１３】
本発明における装置の一実施形態においては、測定された出力密度が調整可能な閾値を超えている場合に、安全スイッチは、監視部によって起動される。
【００１４】
本発明における装置の可能な一実施形態においては、監視部は、検出されたヒトそれぞれの生理学的信号についての、パターンに基づく評価および統計的な評価のうち、いずれか一方または両方を行なう。
【００１５】
本発明における装置の可能な一実施形態においては、検出部は、バイオフィードバック信号検出部を備えている。
【００１６】
本発明における装置の可能な一実施形態においては、バイオフィードバック信号検出部が、ＥＥＧ（脳波）信号検出部である。
【００１７】
本発明における装置の可能な一実施形態においては、バイオフィードバック信号検出部は、ヒトそれぞれの、血圧、表皮抵抗、又は心電信号の検出に適用される。
【００１８】
本発明における装置の一実施形態においては、少なくとも１つの変更可能な基準が満たされている場合に、監視部は、ヒトの重篤状態を認識する。
【００１９】
本発明における装置の一実施形態においては、監視部は、少なくとも１つの選択可能な周波数帯で、検出された生理学的信号の処理を行なう。
【００２０】
本発明における装置の可能な一実施形態においては、周波数帯は、２０〜４０Ｈｚの範囲の周波数を持ったベータ周波数帯である。
【００２１】
本発明は、更に、ヒトに安全に刺激を与えるための方法を提供する。当該方法において、ヒトへの刺激信号の印加は、ヒトそれぞれの所定の生理学的信号によってヒトの重篤状態が認識されると、自動的に停止される。
【００２２】
以下に、ヒトに安全に刺激を与えるための装置及び方法の実施の形態を、添付の図面を参照しながら説明する。
【図面の簡単な説明】
【００２３】
【図１】図１は、本発明における、ヒトに刺激を与えるための装置の可能な実施形態を示すブロック図である。
【図２】図２は、本発明における、ヒトに刺激を与えるための装置の可能な実施形態の更なる構成を示すブロック図である。
【図３】図３は、本発明における装置の対象となったヒトの頭蓋への電極の取り付けを示す概略図である。
【図４】図４は、本発明における装置の対象となったヒトに取り付けられた電極それぞれから送られてきた信号波形を示す図である。
【図５】図５は、ヒトから送られてきたＥＥＧ（脳波）信号における、異なる種々の信号波形についての一般的な電位とてんかん発作時の電位とを示す図である。
【図６】図６は、ＥＥＧ（脳波）信号の発生時におけるヒトの目の動きによって引き起こされたアーチファクトを示す図である。
【発明を実施するための形態】
【００２４】
図１から分かるように、ヒト２を刺激するための装置１は、刺激信号を発生させる少なくとも１つの刺激信号発生部３を備えている。
【００２５】
発生した刺激信号は、ヒト２に印加される。この刺激信号は、刺激装置４によって印加される。刺激装置４は、ヒト２の皮膚に取り付け可能な１また複数の電極によって構成可能である。刺激装置４は、ビデオモニタ、電気的な視覚刺激装置、または聴覚刺激信号を提供するオーディオ刺激装置によっても構成可能である。
【００２６】
更に、図２の構成に示すように、刺激信号発生部３によって発生した刺激信号は、安全スイッチ５を介して刺激装置４に提供される。安全スイッチ５は、監視部６によって制御されている。
【００２７】
更に、図１に示すように、本発明における装置１は、刺激装置４によってヒト２に印加された刺激信号に反応してヒト２から送られてくる、生理学的信号を検出するため、少なくとも１つの検出部７を備えている。
【００２８】
検出された生理学的信号は、検出部７によって、信号線８を介して、監視部６へと送られる。監視部６は、制御信号線９を介して安全スイッチ５を制御する。監視部６は、検出された生理学的信号に反応してヒト２の重篤状態を認識すると、安全スイッチ５を制御して、自動的にヒト２への刺激信号の印加を停止する。
【００２９】
図１に示された実施形態では、安全スイッチ５は、リレーといった電気的要素によって構成されている。他の実施形態では、この電気的なスイッチ５は、監視部６に接続されたコントロールゲートを有するトランジスタによって構成されていても良い。更に、安全スイッチ５は、刺激信号発生部３に含まれていても良い。監視部６は、また、刺激信号発生部３のスイッチを切ることによっても、ヒト２への刺激信号の印加を停止することができる。
【００３０】
本発明の装置１の一実施形態では、刺激信号発生部３は、電気的な刺激信号を発生させる。この刺激信号は、安全スイッチ５を介して、ヒト２の皮膚に取り付け可能な１または複数の電極４に提供される。これらの電極は、所定の取り付けスキームによれば、ヒトの頭に取り付け可能である。
【００３１】
本発明の装置１の可能な一実施形態では、更に、刺激信号発生部３は、ビデオモニタまたは電気的な視覚刺激装置によってヒト２に印加する視覚又は光刺激信号を発生させる。ビデオモニタまたは電気的な視覚刺激装置は、刺激装置４を構成している。
【００３２】
監視部６は、ヒト２の重篤状態を認識すると、検出したヒト２の生理学的信号を直ぐに処理し、直ちに安全スイッチ５を起動させる。可能な一実施形態においては、監視部６は、検出されたヒト２の生理学的信号を、その時間領域において評価する。他の一実施形態では、監視部６は、検出されたヒト２の生理学的信号を、その周波数領域において評価する。
【００３３】
監視部６は、例えば、選択可能な周波数帯において、スライディング時間窓毎に、検出された生理学的信号の出力密度を測定し、そして、生理学的信号を評価する。可能な一実施形態においては、測定された出力密度が調整可能な閾値を超えている場合に、安全スイッチ５は、監視部６によって起動される。この調整可能な閾値は、監視部６に接続されたユーザインターフェイスから、操作者によって設定される。
【００３４】
また、可能な一実施形態においては、監視部６は、検出されたヒト２の生理学的信号についてパターンに基づく評価を行なう。更に可能な一実施形態においては、監視部６は、検出されたヒト２の生理学的信号の統計的な評価を行なう。
【００３５】
１または複数の検出部７が、刺激信号に反応したヒト２の生理学的信号の検出のために設けられている。検出部７は、バイオフィードバック信号検出部を備えることができる。好ましい実施形態では、バイオフィードバック信号検出部は、ＥＥＧ信号検出部である。
【００３６】
加えて、更なるバイオフィードバック信号検出部７が設けられていても良い。バイオフィードバック信号検出部７は、ヒト２の血圧測定のための検出装置によって構成されていても良い。更なるバイオフィードバック信号検出部７は、ヒト２の表皮抵抗を測定するために設けられていても良い。更に、バイオフィードバック信号検出部７は、ヒト２それぞれの心電信号を得るために設けられていても良い。これらバイオフィードバック信号検出部７は、可能な一実施形態においては、全て、対応する信号線を介して監視部６に接続されている。
【００３７】
監視部６は、バイオフィードバック信号検出部７によって提供された生理学的信号を評価して、ヒト２の重篤状態を認識することができる。監視部６は、少なくとも１つの変更可能な基準に従って、ヒト２の重篤状態を認識する。少なくとも１つの変更可能な基準が満たされている場合に、ヒト２の重篤状態であると認識される。
【００３８】
好ましい実施形態では、監視部６は、前もって、例えば、ヒト２が、すぐ先で重篤状態に達するであろう兆候を見せた場合に、ヒト２の重篤状態を認識する。例えば、刺激装置４によってヒト２に刺激信号が印加されて治療が行なわれた場合、監視部６は、治療を受けているヒト２がてんかん発作になりやすいと判断する。
【００３９】
可能な実施形態においては、監視部６は、少なくとも１つの選択可能な周波数帯ＦＢで、ＥＥＧ（脳波）信号のような、検出した生理学的信号の処理を行なう。周波数帯ＦＢは、装置１のユーザインターフェイスから、操作者によって、選択可能であっても良い。可能な実施形態においては、周波数帯ＦＢは、所定の周波数帯、例えば、２０−４０Ｈｚの範囲の周波数を持ったベータ周波数帯であっても良い。
【００４０】
可能な実施形態では、周波数帯ＦＢは、治療対象となっている障害、またはヒト２に印加されている刺激信号に応じて自動的に選択される。検出された生理学的信号の評価は、１または複数の予め設定されたＥＥＧ（脳波）信号の周波数帯ＦＢにおいて行なわれるか、または小さな皮質電位ＳＣＰを評価することによって行なわれる。
【００４１】
図２は、本発明における、ヒト２に刺激を与えるための装置１の可能な実施形態を示すブロック図である。図２に示された実施形態は、治療装置を構成する個人用のユニット１０を備えている。治療装置は、刺激信号に反応したヒト２からの生理学的信号を検出するための検出部７−１と７−２とを備えている。刺激信号は、個人用のユニット１０に含まれる刺激信号発生部３で発生している。
【００４２】
個人用のユニット１０は、少なくとも１つの信号プロセッサを有するコントロールユニットを備え、コントロールユニットは監視部６を構成している。また、検出部７−１及び７−２も、図２の実施形態では、個人用のユニット１０に含まれている。
【００４３】
図２の実施形態では、個人用のユニット２は、検出された生理学的信号に反応して、ヒト２の重篤状態が監視部６によって認識されたときに、ヒト２への刺激信号の印加を自動的に停止するために、安全スイッチ５も備えている。生理学的信号は、ＥＥＧ信号検出部７−１と、更にはバイオフィードバック信号検出部７−２とによって提供されている。
【００４４】
図２の実施形態では、バイオフィードバック信号検出部７−２は、ヒト２の体に取り付けられた電極１１から、ヒト２の心電信号を受信する。ＥＥＧ信号検出部７−１は、ヒト２の頭に取り付けられた電極１２、１３、１４から、ＥＥＧ（脳波）信号を受信する。
【００４５】
図２の実施形態では、電気刺激信号は、信号発生部３によって発生され、安全スイッチ５を介して、ヒト２の目の近くに取り付けられた刺激電極１５に提供される。更に、参照電極１６も、ヒト２の頭に取り付けられる。
【００４６】
更なる実施形態では、個人用のユニット１０は、統合された電力供給ユニットを備えている。監視部６は、一体型のコントローラ、例えば、信号プロセッサ、固体メモリディスク、ＲＡＭなどを備えることもできる。更に、個人用のユニット１０は、個人用のユニット１０をデータネットワークに接続するためのネットワークアダプタを備えることもできる。可能な実施形態では、個人用のユニット１０は、刺激信号に反応してヒト２が操作できる個人用の反応ボタンに接続させることもできる。
【００４７】
個人用のユニット１０は、データネットワークを介して、コントロールユニット１１に接続されている。コントロールユニット１１は、インターネットといったデータネットワークを介して個人用のユニット１０に接続される遠隔のコントロールユニットであっても良い。
【００４８】
個人用のユニット１０とコントロールユニット１１は、共に、操作者のために、グラフィカルユーザインタフェースＧＵＩを備えている。中央のコントロールユニット１１は、システムの動作状態についての測定データを記録し、視覚化することができ、更に、データ分析と後処理のためのツールを提供することができる。コントロールユニット１１は、科学者または医師といったユーザに、インターフェイスを提供し、そして、１以上の個人用のユニット１０を管理する。
【００４９】
個人用のユニット１０及び中央のコントロールユニット１１は、互いに、ネットワークを介して接続されていても良い。また、ネットワークは、無線ネットワークであっても良いし、有線ネットワークであっても良い。
【００５０】
中央のコントロールユニット１１は、マウスおよびキーボード、またはタッチスクリーンを有するワークステーションで構成されていても良い。また、いくつかのモニターが、システムステータス、及びヒトのモニタリングデータを表示させるために、備えられていても良い。更に、個人用のデータベースを構成し、且つ、データ記録に用いられる一時保存用ではない記憶装置が、中央のコントロールユニット１１に接続されていても良い。
【００５１】
可能な実施形態では、個人用のユニット１０は、モバイルデバイスであり、ヒト２に取り付け可能であって良い。このモバイルデバイス１０は、無線ネットワークリンクを介して中央のコントロールユニット１１と通信する。持ち運びできるように個人用のユニット１０の電力供給は、再充電可能なバッテリーによって行なうことができる。
【００５２】
各個人用のユニット１０は、データ処理のため、ローカルメモリを備えることができる。このメモリは、個人用のユニット１０と中央のユニット１１との通信において制限及び障害が発生した場合に、測定データの安全を確保するために用いることができる。可能な実施形態では、個人用のユニット１０は、ＳＤチップといった交換可能な記憶装置を備えることもできる。
【００５３】
図２に示した実施形態では、監視部６は、検出された生理学的信号に反応してヒト２の重篤状態を認識するための手段を備えている。また、他の実施の形態では、ヒト２の重篤状態の検出が、中央のコントロールユニット１１によって行なわれても良い。リアルタイムの処理は、中央のコントロールユニット１１によって提供されても良い。この処理は、例えば、ヒト２がてんかん発作を起こしている場合といった、ヒト２の危険な健康状態の検出も含んでいる。
【００５４】
更に、複数のサブユニットが、他のサブユニットによって測定された状態の変化に応じて、直接制御されていても良い。他のサブユニットは、例えば、ＥＥＧウェーブレットパターンに応じた刺激パルスを測定する。更に、測定データに基づいて、ゼロ交差、スペクトル変化といった、高度情報の算出を行なうこともできる。また、入ってくるトリガー信号を処理することもできるし、トリガー信号を生成することもできる。
【００５５】
信号プロセッサの処理を柔軟に行なうことができるように、監視部６は、中央のコントロールユニット２から、命令（スクリプト）を受け取ることができる。命令は、中央のコントロールユニット１１のプロセッサによって実行されるプログラムの断片であっても良い。
【００５６】
可能な実施形態では、刺激信号に反応したヒト２からの生理学的信号は、個人用のユニット１０における監視部６の信号プロセッサによって処理される。他の実施形態では、検出された生理学的信号は、中央のコントロールユニット１１によって処理される。
【００５７】
ＥＥＧ（脳波）データといった生理学的信号を、個人用のユニット１０によってローカルで処理した場合には、個人用のユニット１０と遠隔のコントロールユニット１１との接続が途切れても、個人用のユニット１０の監視部６によって安全スイッチ５が起動されるという利点がある。
【００５８】
図２に示した実施形態では、電気刺激信号は、電極１５によってヒト２に印加される。他の実施形態では、ヒト２は、複数のＬＥＤから出射された光パルスによる光刺激信号によって刺激される。ライトエミッティングダイオード（ＬＥＤ）は、ヒトの目の近くにあるゴーグルに配置される。
【００５９】
更に、個人用の反応ボタンは、刺激の閾値または付与されたタスクに応じたヒトのフィードバックを受け取るために用いられる。そのヒトの反応ボタンによって生じた信号は、刺激処理の開始または停止させるためのトリガー信号として用いられる。更に、反応ボタンの信号は、他の測定された信号と同期されて記録される。可能な実施形態では、検出された生理学的信号は、サンプリングレートが高く、且つ３２チャンネルを有するＥＥＧ（脳波）信号を含んでいる。
【００６０】
図３は、ヒト２の頭にＥＥＧ電極と同様の刺激電極を取り付けるための配置を示している。
【００６１】
図４は、記録電極と記録電極との間の電位の時間変化の記録を示している。図から分かるように、前頭葉てんかん（ＦＬＥ）が発生すると、ヒト２においては、複数のフロンタルスパイク（前頭棘波）が度々見受けられ、また、フロンタルスパイクは、うとうとしている間の特発性全般てんかんにおいて、断片化されたスパイク及び徐波の発射として表われることもある。
【００６２】
前頭領域の反対側で反射されたスパイクが、高振幅で広範な発射の状態で、度々発生する。記録された電位を監視することにより、監視部６は、切迫したてんかん状態を予測することができる。
【００６３】
図５は、異なる周波数帯における、ＥＥＧ（脳波）信号における一般的な電位を、てんかん状態でのスパイクの電位と対比して示している。例えば、ベータ周波数帯にあるポリスパイクは、各ヒト２の起こり得る重篤状態を示している。
【００６４】
ヒトの目の動きは、測定されるＥＥＧ電位を変化させる。しかし、図６に示すように、このような目の動きは、主に、各ヒト２の頭の前側に位置する前頭電極ＦＰ１、ＦＰ２、Ｆ３において、電位を変化させるだけである。従って、本発明における装置１の監視部６は、目の動きによっては、重篤状態を検出できない。
【００６５】
一般に、監視部６は、各ヒト２の脳の状態の変化を監視する。このような変化を検出するための方法は、ウェーブレット解析またはパターン解析を含む。例えば、統計的分析により、独立した信号成分を検出することができ、信号内の特定のパターンを探索することができるようになる。
【００６６】
本発明における装置１は、特に、ヒト２のてんかん性発作において、ヒト２の安全を著しく増加させ、重篤状態のリスクを避ける。
【図１】
2013529983.tif 000003
【図２】
2013529983.tif 000004
【図３】
2013529983.tif 000005
【図４】
2013529983.tif 000006
【図５】
2013529983.tif 000007
【図６】
2013529983.tif 000008
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
ヒト（２）を刺激するための装置（１）であって、
（ａ）前記ヒト（２）に印加される刺激信号を発生させる、少なくとも１つの刺激信号発生部（３）と、
（ｂ）前記刺激信号に反応して前記ヒト（２）から送られてきた少なくとも１つの生理学的信号を検出するための、少なくとも１つの検出部（７）と、
（ｃ）検出された前記生理学的信号によって前記ヒト（２）の重篤状態を認識すると、安全スイッチ（５）を制御して、前記ヒト（２）への前記刺激信号の印加を自動的に停止させる、監視部（６）と、
を備え、
前記検出部（７）は、前記ヒト（２）の血圧、表皮抵抗、又は心電信号を含む前記生理学的信号の検出に適用される、バイオフィードバック信号検出部（７−２）を備えている、
ことを特徴とするヒトを刺激するための装置。
【請求項２】
前記刺激信号発生部（３）が、電気刺激信号を発生させ、それを、安全スイッチ（５）を介して、ヒト（２）の皮膚に取り付け可能な１又は複数の電極（１５）に提供する、請求項１に記載の装置。
【請求項３】
前記刺激信号発生部（３）が、視覚刺激信号を発生させ、それを、ビデオモニタまたは電気的な視覚刺激装置によって、ヒト（２）に印加する、請求項１に記載の装置。
【請求項４】
前記監視部（６）が、前記ヒト（２）の重篤状態を認識すると、検出された前記ヒト（２）の前記生理学的信号を直ぐに処理し、直ちに安全スイッチ（５）を起動させる、請求項１〜３のいずれかに記載の装置。
【請求項５】
前記監視部（６）が、検出された前記ヒト（２）の生理学的信号を、時間領域及び周波数領域のいずれか一方または両方において評価する、請求項１〜４のいずれかに記載の装置。
【請求項６】
前記監視部（６）が、選択可能な周波数帯において、スライディング時間窓毎に、検出された前記生理学的信号の出力密度を測定する、請求項５に記載の装置。
【請求項７】
前記安全スイッチ（５）が、測定された前記出力密度が調整可能な閾値を超えている場合に、監視部（６）によって起動される、請求項６に記載の装置。
【請求項８】
前記監視部（６）が、検出されたヒト（２）の前記生理学的信号についての、パターンに基づく評価および統計的な評価のうち、いずれか一方または両方を行なう、請求項１〜４のいずれかに記載の装置。
【請求項９】
前記検出部（７）が、ＥＥＧ信号検出部（７−１）を備えている、請求項１に記載の装置。
【請求項１０】
前記監視部（６）が、少なくとも１つの変更可能な基準が満たされている場合に、前記ヒト（２）の重篤状態を認識する、請求項１〜９のいずれかに記載の装置。
【請求項１１】
前記監視部（６）は、少なくとも１つの選択可能な周波数帯で、検出された前記生理学的信号の処理を行なう、請求項９のいずれかに記載の装置。
【請求項１２】
前記周波数帯が、２０〜４０Ｈｚの範囲の周波数を持ったベータ周波数帯である、請求項１１に記載の装置。
【請求項１３】
ヒトに安全に刺激を与えるための方法であって、前記ヒト（２）への刺激信号の印加は、前記ヒト（２）の検出された前記生理学的信号に反応して前記ヒト（２）の重篤状態が認識されると、自動的に停止され、検出された前記生理学的信号は、前記ヒト（２）の血圧、表皮抵抗、又は心電信号を含む、ことを特徴とする方法。
【手続補正２】
【補正対象書類名】明細書
【補正対象項目名】００４３
【補正方法】変更
【補正の内容】
【００４３】
図２の実施形態では、個人用のユニット１０は、検出された生理学的信号に反応して、ヒト２の重篤状態が監視部６によって認識されたときに、ヒト２への刺激信号の印加を自動的に停止するために、安全スイッチ５も備えている。生理学的信号は、ＥＥＧ信号検出部７−１と、更にはバイオフィードバック信号検出部７−２とによって提供されている。
【手続補正３】
【補正対象書類名】明細書
【補正対象項目名】００４４
【補正方法】変更
【補正の内容】
【００４４】
図２の実施形態では、バイオフィードバック信号検出部７−２は、ヒト２の体に取り付けられた電極１７から、ヒト２の心電信号を受信する。ＥＥＧ信号検出部７−１は、ヒト２の頭に取り付けられた電極１２、１３、１４から、ＥＥＧ（脳波）信号を受信する。
【手続補正４】
【補正対象書類名】明細書
【補正対象項目名】００５５
【補正方法】変更
【補正の内容】
【００５５】
信号プロセッサの処理を柔軟に行なうことができるように、監視部６は、中央のコントロールユニット１１から、命令（スクリプト）を受け取ることができる。命令は、中央のコントロールユニット１１のプロセッサによって実行されるプログラムの断片であっても良い。
【手続補正５】
【補正対象書類名】図面
【補正対象項目名】図２
【補正方法】変更
【補正の内容】
【図２】
2013529983.tif 000009
【国際調査報告】
2013529983.tif 000010
2013529983.tif 000011
2013529983.tif 000012